(57)【特許請求の範囲】
【請求項１】
タクシー車両に搭載され賃走を開始してからの料金を表示する表示部を有するタクシーメータと、前記料金を算出する料金演算手段と、前記料金演算手段によって料金算出に用いられる種々の設定データを記憶する設定データ記憶手段と、前記タクシー車両の営業状態に関する営業データを記録する営業データ記憶手段と、記録媒体と、前記記録媒体に記録されているデータを読み込み可能であるとともに当該記録媒体にデータを記録可能であるデータ読込記録装置と、前記データ読込記録装置によって読み込まれたアップデートデータに基づいて前記設定データ記憶手段を更新する設定データ更新手段と、を備えたタクシーメータシステムであって、
前記記録媒体が、
前記アップデートデータを記録するアップデートフォルダと、
前記アップデートデータの改定の有無を示すフラグの情報を含むアップデート更新情報ファイルと、
前記営業データを記録する記録フォルダと、
を有し、
前記設定データ更新手段が前記設定データ記憶手段の更新を完了した際、前記アップデートデータの改定の無しを示す前記フラグの情報が、前記データ読込記録装置により、前記記録媒体の前記アップデート更新情報ファイルに記録される
ことを特徴とするタクシーメータシステム。
【請求項２】
タクシー車両に搭載され賃走を開始してからの料金を表示する表示部を有するタクシーメータと、前記料金を算出する料金演算手段と、前記料金演算手段によって料金算出に用いられる種々の設定データを記憶する設定データ記憶手段と、前記タクシー車両の営業状態に関する営業データを記録する営業データ記憶手段と、前記タクシー車両に関する管理データを記憶する管理データ記憶手段と、記録媒体と、前記記録媒体に記録されているデータを読み込み可能であるとともに当該記録媒体にデータを記録可能であるデータ読込記録装置と、前記データ読込記録装置によって読み込まれたアップデートデータに基づいて前記設定データ記憶手段を更新する設定データ更新手段と、を備えたタクシーメータシステムと、前記アップデートデータを作成して前記記録媒体に記録するとともに前記タクシー車両の営業状態を管理する事務所システムとの間のデータのやりとりを前記記録媒体によって行うタクシーメータシステムの通信方法であって、
前記事務所システムにおいて前記記録媒体に前記タクシー車両に関する管理データを書き込むとともに、前記設定データに更新項目がある場合には前記記録媒体のアップデートフォルダに前記アップデートデータを記録し、且つ、前記記録媒体のアップデート更新情報ファイルに前記アップデートデータの改定の有無を示すフラグの情報として１を書き込み、
前記記録媒体を前記タクシーメータシステムの前記データ読込記録装置にセットして、前記記録媒体のアップデートフォルダに記録されているアップデートデータを読み込んで前記設定データをアップデートするとともに、前記記録媒体のアップデート更新情報ファイルに記録された前記フラグの情報を０に書き換え、
前記記録媒体の記録フォルダに記録されている管理データと前記タクシーメータシステムに記録されている管理データとを照合して、一致した場合には前記記録フォルダに前記営業データを記録する
ことを特徴とするタクシーメータシステムにおける通信方法。
【発明の詳細な説明】
【技術分野】
【０００１】
本発明は、タクシーメータにおける各種設定データの更新および営業状態を示す営業データを、カード等の記録媒体を用いてタクシー車両と事務所システムとの間でやりとりを行うタクシーメータシステム及びそれにおける通信方法に関するものである。
【背景技術】
【０００２】
従来、タクシーにおいては、基本料金に、賃走距離に応じた賃走料金を加えて料金が算出されて、表示される。また、通常、料金の算出の際に用いられる基本料金データ、又は賃走料金の演算式等の設定データは、タクシーメータに設けられている書き換え可能な不揮発性記録手段に記録されており、料金算出の際に用いられている。
このため、料金の改定により、基本料金が変更される、或いは賃走料金の演算方法が改定された場合や、運賃割引やサービス料金等の登場により、これまで演算に用いられていた設定データが改定された場合には、設定データを改定することが行われている。
【０００３】
例えば、タクシーメータに記録されている設定データを改定するために、メモリーカード（以後、単にカードとも言う。）等の記録媒体を用いて書き換える（アップデート）ことが行われている（例えば、特許文献１参照。）。即ち、カードに記録されている改定されたデータ（以後、「アップデートデータ」とも言う。）を読み取り手段により読み込み、不揮発性記録手段に記録されている古いデータをアップデートデータに置き換え、この新しいデータに基づいて料金の算出を行うことになっている。
【０００４】
このとき、従来の方法において、カードに記録されるデータは、指定アドレスに記録されており、読み取り機におけるカード内のデータへのアクセスは、指定アドレスを用いて行われている。これにより、料金の改定等があった場合でも、タクシーメータ自体を改造などすることなくデータの改定を行うことができるようになっている。
【０００５】
【特許文献１】特開平１０−１５４２９７号公報
【発明の開示】
【発明が解決しようとする課題】
【０００６】
ところで、近年、タクシーの営業状態を示す具体的なデータ（以後、「営業データ」とも言う。）、例えば乗車時刻、乗車地点の位置情報、降車時刻、降車地点の位置情報、乗車区間距離、運賃などで構成される営業データを事務所システムに移して、タクシー車両ごとあるいは従業員である運転者ごとに管理することが行われるようになってきている。このため、前述したアップデート用のカード等の記録媒体を用いて、１枚のみでアップデートデータおよび営業データをタクシーメータシステムと事務所システムとの間でやりとりすることが好ましい。
【０００７】
しかしながら、現実に取り扱うデータサイズは不定であり、従来行われているように指定アドレスに指定されたデータを書き込む方式では、１枚のカード内にアップデートデータと営業データの２種類のデータを記録し読み込みを行うことは困難であるという問題があった。
【０００８】
本発明は、前述した事情に鑑みてなされたものであり、その目的は、アップデートデータおよび営業データに関する事務所システムとのやりとりを１枚のカードで効率よく行うことができるタクシーメータシステムを提供することにある。
【課題を解決するための手段】
【０００９】
本発明の目的は、下記の構成により達成される。
（１）  タクシー車両に搭載され賃走を開始してからの料金を表示する表示部を有するタクシーメータと、前記料金を算出する料金演算手段と、前記料金演算手段によって料金算出に用いられる種々の設定データを記憶する設定データ記憶手段と、前記タクシー車両の営業状態に関する営業データを記録する営業データ記憶手段と、記録媒体と、前記記録媒体に記録されているデータを読み込み可能であるとともに当該記録媒体にデータを記録可能であるデータ読込記録装置と、前記データ読込記録装置によって読み込まれたアップデートデータに基づいて前記設定データ記憶手段を更新する設定データ更新手段と、を備えたタクシーメータシステムであって、
前記記録媒体が、
前記アップデートデータを記録するアップデートフォルダと、
前記アップデートデータの改定の有無を示すフラグの情報を含むアップデート更新情報ファイルと、
前記営業データを記録する記録フォルダと、
を有し、
前記設定データ更新手段が前記設定データ記憶手段の更新を完了した際、前記アップデートデータの改定の無しを示す前記フラグの情報が、前記データ読込記録装置により、前記記録媒体の前記アップデート更新情報ファイルに記録される
ことを特徴とするタクシーメータシステム。
（２）  タクシー車両に搭載され賃走を開始してからの料金を表示する表示部を有するタクシーメータと、前記料金を算出する料金演算手段と、前記料金演算手段によって料金算出に用いられる種々の設定データを記憶する設定データ記憶手段と、前記タクシー車両の営業状態に関する営業データを記録する営業データ記憶手段と、前記タクシー車両に関する管理データを記憶する管理データ記憶手段と、記録媒体と、前記記録媒体に記録されているデータを読み込み可能であるとともに当該記録媒体にデータを記録可能であるデータ読込記録装置と、前記データ読込記録装置によって読み込まれたアップデートデータに基づいて前記設定データ記憶手段を更新する設定データ更新手段と、を備えたタクシーメータシステムと、前記アップデートデータを作成して前記記録媒体に記録するとともに前記タクシー車両の営業状態を管理する事務所システムとの間のデータのやりとりを前記記録媒体によって行うタクシーメータシステムの通信方法であって、
前記事務所システムにおいて前記記録媒体に前記タクシー車両に関する管理データを書き込むとともに、前記設定データに更新項目がある場合には前記記録媒体のアップデートフォルダに前記アップデートデータを記録し、且つ、前記記録媒体のアップデート更新情報ファイルに前記アップデートデータの改定の有無を示すフラグの情報として１を書き込み、
前記記録媒体を前記タクシーメータシステムの前記データ読込記録装置にセットして、前記記録媒体のアップデートフォルダに記録されているアップデートデータを読み込んで前記設定データをアップデートするとともに、前記記録媒体のアップデート更新情報ファイルに記録された前記フラグの情報を０に書き換え、
前記記録媒体の記録フォルダに記録されている管理データと前記タクシーメータシステムに記録されている管理データとを照合して、一致した場合には前記記録フォルダに前記営業データを記録する
ことを特徴とするタクシーメータシステムにおける通信方法。
【００１０】
上記（１）の構成の本発明のタクシーメータシステムによれば、記録媒体に、アップデートデータを記録するアップデートフォルダと、タクシー車両の営業状態に関するデータを記録する記録フォルダとを設けたので、１個の記録媒体に、データサイズが不定な２種類のデータを記録することができる。このため、タクシーメータシステムのデータ読込記録装置は、記録媒体のアップデートフォルダからアップデートデータを容易に読み込むことができ、設定データ更新手段は設定データ記憶手段に記憶されている設定データをアップデートデータに基づいて効率よく更新することができるので、料金演算手段はアップデートされた設定データに基づいて、正しい料金を算出することができ、そして表示部に表示することができる。また、データ読込記録装置は新しい料金体系による料金等の営業状態に関するデータを、容易に記録フォルダに記録することができる。
なお、ここでフォルダとは、ファイルを整理して保管する名前付きの保管場所を意味し、ディレクトリで表現されるものも含むものである。
また、このタクシーメータシステムによれば、記録媒体に、アップデートデータの更新完了を示すフラグ情報が記録されるので、タクシー車両の営業状態に関するデータを含んだ記録媒体と営業所に設けられる事務所システムとのデータのやりとりを行う際に、いずれのタクシー車両が更新を行ってないかを効率よく管理することができる。
そして、上記（２）の構成のタクシーメータシステムにおける通信方法によれば、事務所システムおよびタクシーメータシステムにおいて読込・書込みが可能な記録媒体を用いて事務所システムとタクシーメータシステムとの間の通信を行うので、他の通信手段を特段あらためて拵える必要がなく、非常に容易且つ安価にデータのやりとりを行うことができる。また、記録媒体のアップデートフォルダにアップデートデータを記録し、記録フォルダにタクシー車両の営業状態に関するデータ等を記録するので、１個の記録媒体でデータサイズが不定な２種類のデータを記録することができる。このため、タクシーメータシステムのデータ読込記録装置は、記録媒体のアップデートフォルダからアップデートデータを容易に読み込むことができ、設定データ更新手段は設定データ記憶手段に記憶されている設定データをアップデートデータに基づいて効率よく更新することができるので、料金演算手段はアップデートされた設定データに基づいて、正しい料金を算出することができ、表示部に表示することができる。そして、データ読込記録装置は新しい料金体系による料金等の営業状態に関するデータを、容易に記録フォルダに記録することができる。
【発明の効果】
【００１１】
本発明によれば、記録媒体に、アップデートデータを記録するアップデートフォルダと、タクシー車両の営業状態に関するデータを記録する記録フォルダとを設けたので、１個の記録媒体に、データサイズが不定な２種類のデータを記録することができる。このため、タクシーメータシステムのデータ読込記録装置は、記録媒体のアップデートフォルダからアップデートデータを容易に読み込むことができ、設定データ更新手段は設定データ記憶手段に記憶されている設定データをアップデートデータに基づいて更新することができるので、料金演算手段はアップデートされた設定データに基づいて、正しい料金を算出することができ、表示部に表示することができる。
また、データ読込記録装置は新しい料金体系による料金等の営業状態に関するデータを、容易に記録フォルダに記録することができる。
【発明を実施するための最良の形態】
【００１２】
以下、本発明に係る実施形態を図面に基づいて詳細に説明する。
図１は本発明のタクシーメータシステムに係る実施形態を示す全体構成図であり、図２はタクシーメータシステムの内部構成を示すブロック図であり、図３は記録媒体内に記録されているデータのフォーマットを示す説明図であり、図４は事務所システムにおける記録媒体へのアップデートデータの書込み処理を示すフローチャートであり、図５はタクシーメータシステムに記録されている設定データのアップデートを示すフローチャートであり、図６はタクシーメータシステムにおける営業データの記録を示すフローチャートである。
【００１３】
図１に示すように、本発明の実施形態であるタクシーメータシステム１０は、タクシー車両ＣＲ（図７参照）に搭載され賃走を開始してからの料金を表示する表示部１１を有するタクシーメータ１２と、料金を算出する料金演算手段１３と、料金演算手段１３によって料金算出に用いられる種々の設定データを記憶する設定データ記憶手段１４と、記録媒体２０に記録されているデータを読み込み可能であるとともに当該記録媒体２０にデータを記録可能であるデータ読込記録装置１５と、データ読込記録装置１５によって読み込まれたアップデートデータに基づいて設定データ記憶手段１４を更新する設定データ更新手段１６を備えて構成される。
【００１４】
図２に示すように、タクシーメータ１２はＣＰＵ(Ｃｅｎｔｒａｌ Ｐｒｏｃｅｓｓｉｎｇ Ｕｎｉｔ、中央処理装置)１２ａを有しており、ＣＰＵ１２ａには、インターフェース１２ｂ、ＲＡＭ（Ｒａｎｄｏｍ Ａｃｃｅｓｓ Ｍｅｍｏｒｙ）１２ｃ、ＲＯＭ(Ｒｅａｄ Ｏｎｌｙ Ｍｅｍｏｒｙ)１２ｄ、不揮発性メモリ１２ｅ、表示部１１、ＧＰＳ(Ｇｌｏｂａｌ Ｐｏｓｉｔｉｏｎｉｎｇ Ｓｙｓｔｅｍ)受信機１７、走行距離積算器１９等が接続されている。
【００１５】
不揮発性メモリ１２ｅは設定データ記憶手段１４として機能し、料金の算出に用いられる種々の設定データ、例えば基本料金、走行距離と料金の関係式やテーブル、運賃割引やサービス料金等が記憶されている。また、不揮発性メモリ１２ｅの特性により、車両のメインスイッチを切って電源をオフとしても、記憶されている内容は、消えずに保持されるが、書き換え可能なので、設定データが変更された場合には書き換えることができる。
そして、ＲＯＭ１２ｄには、例えば、変更されることがないＯＳ等の制御プログラムが記録されている。また、ＲＡＭ１２ｃはワークエリアとデータエリアを有しており、ＣＰＵ１２ａによる種々の処理を行う際に用いられる。
【００１６】
したがって、料金演算手段１３が料金を算出する際には、ＣＰＵ１２ａの制御により、設定データ記憶手段１４である不揮発性メモリ１２ｅに記憶されている種々の設定データに基づき、ＲＡＭ１２ｃをワークメモリとして用いながら料金を算出して、表示部１１に表示する。表示部１１には、ＧＰＳ受信機１７によって得られる現在位置や、行き先等も表示される。
なお、図２においては、タクシーメータ１２の内部にＣＰＵ１２ａ、ＲＡＭ１２ｃ、ＲＯＭ１２ｄ、不揮発性メモリ１２ｅ等が設けられている場合について説明したが、これらはそれぞれタクシーメータ１２に外付けされる外部機器として設けることも可能である。
【００１７】
また、図２に示すように、タクシーメータ１２には、インターフェース１２ｂを介してデータ読込記録装置１５が接続されている。
【００１８】
データ読込記録装置１５は、ＣＰＵ１５ａを有しており、ＣＰＵ１５ａには、インターフェース１５ｂ、１５ｃ、記録媒体２０にデータの読み書きを行うリーダライタ１５ｃ、ＲＯＭ１５ｄ、ＲＡＭ１５ｅ、表示部１５ｆ、時計ＩＣ（ＲＴＣ；Ｒｅａｌ Ｔｉｍｅ Ｃｌｏｃｋ）１５ｇ等が接続されている。
【００１９】
インターフェース１５ｃはタクシーメータ１２のインターフェース１２ｂと接続されており、これによりタクシーメータ１２とデータ読込記録装置１５とが接続されることになる。時計ＩＣ１５ｇからは、この時計ＩＣ１５ｇが管理している現在時刻が入力される。また、インターフェース１５ｂには、外部機器１８が必要に応じて接続可能となっている。
【００２０】
記録媒体２０は、図３に示すように、アップデートフォルダ２１と記録フォルダ２２とを備えたファイル構造を有するとともに、アップデート更新情報ファイル２３が最上位の階層に記録保持されている。そして、タクシーメータシステム１０のリーダライタ１５ｃおよび事務所システム３０のＰＣ３１によって、この記録媒体２０に対しデータの読み込みおよび書込みができるようになっている。
なお、記録媒体２０としては、コンパクトフラッシュ、スマートメディア、メモリースティック、ＰＣカード、フロッピーディスク等のリードないしライトが可能な種々の記憶媒体（メディア）を用いることができる。
【００２１】
アップデートフォルダ２１には、設定データの改定がある場合にアップデートデータが記録される。例えば、ＥＴＣ料金所に関する情報や、タクシーメータ１２の表示部１１に行き先や現在位置を漢字で表示する際に用いられる漢字フォントに関する情報等の設定データに対するアップデートデータが記録される。また、記録フォルダ２２には、例えばタクシー車両や運転者の管理データや、運行記録データ等の営業データが記録される。
【００２２】
即ち、設定データの改定がある場合には、事務所システム３０のＰＣ３１によって記録媒体２０のアップデートフォルダ２１にアップデートデータが書込まれる。そして、この記録媒体２０を車載のデータ読込記録装置１５のリーダライタ１５ｃに挿入して、アップデートデータがタクシーメータシステム１０に読み込まれる。また、賃走開始地点や目的地、あるいは料金等の運行記録データは、タクシーメータシステム１０のリーダライタ１５ｃによって記録媒体２０の記録フォルダ２２に記録され、事務所システム３０のＰＣ３１によって読み込まれて事務所側に報告される。
なお、アップデートフォルダ２１および記録フォルダ２２の内部にさらにフォルダを階層構造で設けることもできる。また、アップデート更新情報ファイル２３は、後述する、各設定データ項目に対するそれぞれの改定の有無を示すフラグＦ（ｆａ，ｆｂ，・・・，ｆｎの各要素で構成）の情報を含んでおり、この情報に基づいてアップデートデータの書き込みなどが行われることとなる。ただし、ｎは、設定データの項目数に相当するアルファベットとされる。
【００２３】
次に、図４に基づいて、事務所システム３０における記録媒体２０へのアップデートデータの書込みについて説明する。
【００２４】
スタートしたら（即ち、ステップＳＳ）、まず、フラグＦにおける各要素（ｆａ，ｆｂ，・・・，ｆｎ）をゼロ（０）としてすべて初期化する（即ち、ステップＳ４０１）。以後、それぞれ設定データ項目に対するアップデート情報があるか否かを判断する。
【００２５】
即ち、設定データａに対するアップデート情報ａがあるか否かを判断し（即ち、ステップＳ４０２ａ）、ない場合には次の設定データｂに対するアップデート情報ｂの有無の判断処理に移る（即ち、ステップＳ４０２ｂ）。
一方、アップデート情報ａがあると判断される場合には、アップデートデータａを記録媒体２０のアップデートフォルダ２１に記録するとともに（即ち、ステップＳ４０３ａ）、フラグＦにおける、設定データａの改定有無を示す要素、即ちｆａを１に書き換える（即ち、ステップＳ４０４ａ）。
【００２６】
前述したステップＳ４０２ａ〜ステップＳ４０４ａの処理を、アップデートの対象となるすべての設定データ（アップデート情報ｂ〜ｎ）について行う（即ち、ステップＳ４０２ｂ〜ステップＳ４０４ｎ）。そして、各設定データの改定有無に対応する要素（ｆａ，ｆｂ，・・・，ｆｎ）がすべて確認された時点で、これら要素を含んだフラグＦを記録媒体２０のアップデート更新情報ファイル２３に記録して（即ち、ステップＳ４０５）、終了する（即ち、ステップＳＥ）。
【００２７】
したがって、すべての設定データにおいて改定がない場合にはフラグＦの各要素はいずれもゼロとなり、いずれかの設定データにおいて改定がある場合には、フラグＦにおける、その設定データに対応する要素に１が設定されることとなる。これにより、各設定データ項目における改定の有無がフラグＦによって容易にわかることになる。
【００２８】
次に、タクシーメータシステム１０における記録媒体２０の処理について説明する。まず、図５に基づいて、設定データのアップデートについて説明する。
【００２９】
スタートしたら（即ち、ステップＳＳ）、例えば運転者がタクシーメータシステム１０のデータ読込記録装置１５のリーダライタ１５ｃに記録媒体２０を挿入する（即ち、ステップＳ５０１）。このとき、リーダライタ１５ｃが記録媒体２０の挿入を確認できない場合には、以降のステップには進まないで、記録媒体２０の挿入が確認されるまでを待機する。そして、記録媒体２０の挿入が確認されたら、リーダライタ１５ｃは、前述した各設定データ項目における改定の有無が規定された、アップデート更新情報ファイル２３に含まれるフラグＦの読込を行う（即ち、ステップＳ５０２）。
【００３０】
そして、フラグＦに基づき各設定データの改定の有無を順々に探索する。即ち、まず、フラグＦの設定データａに対する要素ｆａを読み込み、設定データａの改定の有無を判断する（即ち、ステップＳ５０３ａ）。ｆａ＝０の場合には設定データａについて改定がないと判断して、次の設定データｂについて改定があるか否かを判断する（即ち、ステップＳ５０３ｂ）。そして、設定データの改定がない場合には、最後の設定データｎまで次々に改定があるか否かを判断する（即ち、ステップＳ５０３ｎ）。いずれの設定データについても改定が認められない場合には、設定データの更新処理を終了する（即ち、ステップＳ（１））。
【００３１】
途中、いずれかの設定データｋ（ただし、ｋはａ，ｂ，・・・，ｎのいずれか）において改定があることが確認されたら、それ以降の設定データについては確認することなく、記録媒体２０からその設定データｋに対するアップデートデータを読み込む（即ち、ステップＳ５０４）。設定データ更新手段１６は、設定データ記憶手段１４である不揮発性メモリ１２ｅに記録保持されている、その設定データｋに該当するデータの更新を行う（即ち、ステップＳ５０５）。そして、このデータ更新が完了した後、その設定データｋに対するフラグＦにおける要素ｆｋにゼロ（０）を設定し、このフラグＦの要素ｆａ，ｆｂ，・・・，ｆｎいずれもがゼロ（０）であるか否かを判断する（即ち、ステップＳ５０７）。フラグＦの要素ｆａ，ｆｂ，・・・，ｆｎいずれもがゼロ（０）と判断される場合、設定データの更新処理を終了する（ステップＳ（１））。
【００３２】
一方、フラグＦの要素ｆａ，ｆｂ，・・・，ｆｎの少なくともいずれかがゼロ（０）でない場合、換言するといずれかが１である場合には、前記ステップＳ５０３ａに戻って、再度ステップＳ５０３ａ〜Ｓ５０６の処理を行い、すべて設定データの改定が完了するまで逐次これら処理が繰り返すこととなる。
このようにして更新が完了した後は、フラグＦの要素ｆａ，ｆｂ，・・・，ｆｎのいずれもがゼロ（０）となり、結果としてフラグＦは、更新が完了したか否かを示す情報となる。即ち、この更新完了を示す情報がデータ読込記録装置１５により、記録媒体２０に記録されることとなる。
【００３３】
次に、図６に基づいて、営業データの記録について説明する。
前述した設定データの更新処理が終了したら（即ち、ステップＳ（１））、記録媒体２０の記録フォルダ２２に記録されている管理データを読み込み（即ち、ステップＳ５０８）、タクシーメータシステム１０の不揮発性メモリ１２ｅに記録されている管理データと照合する（即ち、ステップＳ５０９）。
なお、管理データとしては、タクシー車両のコード番号、運転者のコード番号、運転者名等、事務所システムにおいてタクシー車両や運転者を特定することができるデータなどが例示される。
【００３４】
記録媒体２０から読み込まれた管理データが、タクシーメータシステム１０に記録されている管理データと一致しない場合には、この記録媒体２０を使用する適正なタクシー車両でないか、あるいは適正な運転者でないと判断され、記録媒体２０を拒否して（即ち、ステップＳ５１０）、処理を終了する（ステップＳＥ）。
【００３５】
一方、管理データが一致した場合には、タクシーメータ１２において算出されてＲＡＭ１２ｃに記憶されていた料金や、出発地名、目的地名等の営業データをデータ読込記録装置１５のＲＡＭ１５ｅに移動して格納し（即ち、ステップＳ５１１）、ファイル化して（即ち、ステップＳ５１２）、リーダライタ１５ｃによって記録媒体２０の記録フォルダ２２に書き込んで（即ち、ステップＳ５１３）、終了する（ステップＳＥ）。
なお、記録媒体２０に書き込まれた営業データ、アップデート更新情報ファイル２３などは、例えば営業終了後に、事務所システム３０のＰＣ３１に読み込まれて管理されることとなる。
【００３６】
以上、前述した本発明の実施形態にかかるタクシーメータシステム１０によれば、記録媒体２０に、アップデートデータを記録するアップデートフォルダ２１と、タクシー車両の営業状態に関するデータを記録する記録フォルダ２２とを設けたので、１個の記録媒体２０に、データサイズが不定な２種類のデータを記録することができる。このため、タクシーメータシステム１０のデータ読込記録装置１５は、記録媒体２０のアップデートフォルダ２１からアップデートデータを容易に読み込むことができ、設定データ更新手段１６は設定データ記憶手段１４に記憶されている設定データをアップデートデータに基づいて効率よく更新することができるので、料金演算手段１３はアップデートされた設定データに基づいて、正しい料金を算出することができ、表示部１１に料金を適切に表示することができる。また、データ読込記録装置１５は新しい料金体系による料金等の営業状態に関するデータを、容易に記録フォルダ２２に記録することができる。
【００３７】
また、本実施形態にかかるタクシーメータシステム１０によれば、記録媒体２０は設定データの改定の有無を示すフラグＦの情報を含んだアップデート更新情報ファイル２３を有し、そして、更新が完了した際には、このフラグＦが０と設定される。即ち、アップデートデータの更新完了を示す情報が記録媒体２０に記録されることとなるので、事務所システム３０とのデータのやりとりを行う際、いずれのタクシー車両が更新を行ってないかを効率よく管理することができる。
【００３８】
図７には、本発明の実施形態にかかるタクシーメータシステムの通信方法が示されている。なお、前述したタクシーメータシステム１０と共通する部位には同じ符号を付して、重複する説明を省略することとする。
【００３９】
この通信方法では、事務所システム３０において記録媒体２０にタクシー車両に関する管理データを書き込むとともに、設定データに更新項目がある場合には記録媒体２０のアップデートフォルダ２１にアップデートデータを記録する。そして、この記録媒体２０をタクシーメータシステム１０のデータ読込記録装置１５にセットして、記録媒体２０のアップデートフォルダ２１に記録されているアップデートデータを読み込んで、設定データをアップデートする。また、記録媒体２０の記録フォルダ２２に記録されている管理データとタクシーメータシステム１０に記録されている管理データとを照合して、一致した場合には記録フォルダ２２に営業状態を記録し、この記録媒体２０を事務所システム３０のＰＣ３１により読み込む。
【００４０】
したがって、事務所システム３０およびタクシーメータシステム１０において読込・書込みが可能な記録媒体２０を用いて事務所システム３０とタクシーメータシステム１０との間の通信を行うので、他の通信手段を特段あらためて拵える必要がなく、非常に容易且つ安価にデータのやりとりを行うことができる。また、記録媒体２０のアップデートフォルダ２１にアップデートデータを記録し、記録フォルダ２２にタクシー車両の営業状態に関するデータ等を記録するので、１個の記録媒体２０でデータサイズが不定な２種類のデータを記録することができる。このため、タクシーメータシステム１０のデータ読込記録装置１５は、記録媒体２０のアップデートフォルダ２１からアップデートデータを容易に読み込むことができ、設定データ更新手段１６は設定データ記憶手段１４に記憶されている設定データをアップデートデータに基づいて効率よく更新することができる。また、データ読込記録装置１５は新しい料金体系による料金等の営業状態に関するデータを、容易に記録フォルダ２２に記録することができる。
【００４１】
なお、本発明のタクシーメータシステムは、前述した実施形態に限定されるものでなく、適宜な変形，改良等が可能である。
例えば、前述した実施形態においては、タクシーメータ１２とデータ読込記録装置１５の両方に各々ＣＰＵ１２ａ、１５ａ、ＲＡＭ１２ｃ、１５ｅ、ＲＯＭ１２ｄ、１５ｄを設けたが、同じものを共用することも可能である。
【図面の簡単な説明】
【００４２】
【図１】本発明のタクシーメータシステムに係る実施形態を示す全体構成図である。
【図２】タクシーメータシステムの内部構成を示すブロック図である。
【図３】記録媒体内に記録されているデータのフォーマットを示す説明図である。
【図４】事務所システムにおける記録媒体へのアップデートデータの書込み処理を示すフローチャートである。
【図５】タクシーメータシステムに記録されている設定データのアップデートを示すフローチャートである。
【図６】タクシーメータシステムにおける営業データの記録を示すフローチャートである。
【図７】本発明のタクシーメータシステムの通信方法を示す概略構成図である。
【符号の説明】
【００４３】
１０  タクシーメータシステム
１１  表示部
１２  タクシーメータ
１３  料金演算手段
１４  設定データ記憶手段
１５  データ読込記録装置
１６  設定データ更新手段
２０  記録媒体
２１  アップデートフォルダ
２２  記録フォルダ
ＣＲ  タクシー車両
【図１】
0005545912.tif 000002
【図２】
0005545912.tif 000003
【図３】
0005545912.tif 000004
【図４】
0005545912.tif 000005
【図５】
0005545912.tif 000006
【図６】
0005545912.tif 000007
【図７】
0005545912.tif 000008